(57)【要約】【課題】  駆動装置を構成するための電動機、減速部及び制御機構をケース内で組み合わせ、ケースの開口近くで電動機と制御機構とを電線で結合し、結合した電線が突出して錯綜している状態のとき、開口をカバーで塞ぐにあたって、カバーとケースとの間に電線を挟み込むことなく、容易にカバーを付設できるようにすることを目的とする。【解決手段】  従来のカバーの内側に、ケースとの合わせ目に沿って延び、且つケース側へ突出する押込壁を付設し、押込壁の先端を上記合わせ目よりもケースの開口内へ突出させた状態としたカバーを用いてケースの開口を塞ぐ。【選択図】      図４
2005249138.tif 000002
【特許請求の範囲】
【請求項１】
回転弁の弁体を回動させるための電動機と、上記電動機の回転を減速させるための減速部と、上記電動機の回転を制御するための制御機構とをケースに入れ、ケースの開口を通してケース内で電動機と制御機構とを電線で接続し、その後にケースの開口をカバーで閉塞してなる回転弁の駆動装置において、カバーとしてケースの開口を塞ぐに足る大きさのカバーの内面に、開口との合わせ目に沿って延びてケースの開口内へ突出する押込壁を付設し、押込壁の先端を上記合わせ目よりもケース側へ突出させた構造のカバーを用いることを特徴とする、回転弁の駆動装置。
【請求項２】
押込壁がケース側の合わせ目よりも内側に位置し、押込壁と上記合わせ目との間に溝が形成されていることを特徴とする、請求項１に記載の回転弁の駆動装置。
【発明の詳細な説明】
【技術分野】
【０００１】
この発明は、回転弁の駆動装置に関するものである。
【背景技術】
【０００２】
バタフライ弁やボール弁のような回転弁は、弁本体に設けた円管状の流体通路内に、それぞれ円板状又は球状の弁体を回動可能に付設したものである。回転弁は弁体を回動させて流体通路内を流れる流体を制御するのに用いられる。従って、回転弁には弁体を回動させるための駆動装置が付設される。
【０００３】
バタフライ弁を例に取ると、バタフライ弁の駆動装置には、手動式、電気式、空気圧式、水圧式など各種形式のものがある。これらの中では電気式のものが多く用いられている。回転弁は、弁体を９０度の角度範囲内だけで回動させるものであるから、電気式の駆動装置では電動機による回転力を減速部で減速して弁体を回動させることとしている。
【０００４】
従来の電動式駆動装置は、例えば特開２０００−３３７５５１号公報に記載されている。その装置の構造は、図１の（ａ）に平面図を示し、（ｂ）に正面図を示し、（ｃ）に（ａ）中のＣ−Ｃ線断面を示したようなものとされた。すなわち、その装置は、回転弁の弁体を回動させるための電動機１と、電動機１の回転を減速させるための減速部２と、電動機１の回転を制御するための制御機構３とをケース４内に入れ、ケース４の開口６をカバー５で塞いで一体とすることによって作られた。なお、図中７はケース４とカバー５との合わせ目である。
【特許文献１】特開２０００−３３７５５１号公報
【０００５】
図１には示していないが、ケース４の開口６付近には多数の電線が錯綜している。それは、制御機構３が基板上に端子台、開度検出用ポテンショメーター、信号発信器などを並べてこれを電線により接続して作られるものだからである。その制御機構３は、さらに電動機１などと電線で接続されるものであり、その接続はケース４内で開口６を通して行われるからである。
【０００６】
すなわち、上述の駆動装置を組み立てるには、まずケース４内に電動機１、減速部２及び制御機構３を別々に入れ、その後にケース４の開口６を通してそれらを互に結合させることとされる。従って、電動機１などと制御機構３を接続する電線は、ケース４の開口６付近に集まることとなる。こうして組み立てたあとで、開口６をカバー５で塞ぐこととされる。
【０００７】
このようにして組み立てる必要から、ケース４の開口６は、平面的には相当の広がりを持ったものとされるが、立体的には小さな容積を持つものとされる。そのため、開口６には多数の電線が錯綜している。錯綜した電線１１は、開口６をカバー５で塞ぐとき細心の注意を払わないと、図２に示すようにケース４とカバー５との合わせ目７に挟み込まれることとなる。
【０００８】
他方、駆動装置では、装置内へ水などが侵入するのを防ぐために、カバー５とケース４との合わせ目７を気密にする必要があって、そこにはパッキン１２が付設されている。ところが、この合わせ目に電線が挟み込まれると、この気密を保持することが困難になる。また、気密にするために、カバー５はケース４に強く押圧されるので、合わせ目に挟み込まれた電線は変形せしめられて、電流を円滑に流すことができず、従って装置の機能に障害を生じる。
【０００９】
そのために、カバー５をケース４に付設する際には、とくに細心の注意が必要とされた。それにも拘らず、カバー５とケース４との合わせ目に電線を挟み込み、九仞の功を一簣に欠くという事態を招くこともあった。そこで、カバー５の付設を容易にする必要があった。
【発明の開示】
【発明が解決しようとする課題】
【００１０】
この発明は、上述の必要に応じて生れたものである。すなわち、この発明は、駆動装置を構成するための電動機、減速部及び制御機構をケース内で組み合わせ、ケースの開口近くで電動機と制御機構とを電線で関連させ、電線が突出して錯綜している状態のとき、開口をカバーで塞ぐにあたってカバーとケースとの間に電線を挟み込むことなく、容易にカバーを付設できるようにすることを目的とするものである。
【課題を解決するための手段】
【００１１】
この発明者は、上述の課題がカバーの形状を変更することによって容易に解決できることを見出した。その理由は次のとおりである。そもそも駆動装置において、開口近くに錯綜している電線は、電動機と制御機構とを接続するためのものであるから、格別に冗長なものでなく、開口から突出するとしても電線の連結部分が僅かに開口の外へ食み出している程度である。従って、この電線はその途中の部分を僅かに押さえるだけで、開口からの食み出し部分を開口内へ容易に押し込むことができることが判った。
【００１２】
そこで、この発明者は、従来のカバーの内側に、ケースとの合わせ目に沿って延び、且つケース側へ突出する押込壁を付設し、押込壁の先端を上記合わせ目よりもケースの開口内へ突出するようにしておくと、このようなカバーを用いるだけで、容易に上記課題を解決できることを見出した。この発明は、このような知見に基づいて完成されたものである。
【００１３】
この発明は、回転弁の弁体を回動させるための電動機と、上記電動機の回転を減速させるための減速部と、上記電動機の回転を制御するための制御機構とをケースに入れ、ケースの開口を通してケース内で電動機と制御機構とを電線で接続し、その後にケースの開口をカバーで閉塞してなる回転弁の駆動装置において、カバーとしてケースの開口を塞ぐに足る大きさのカバーの内面に、開口との合わせ目に沿って延びてケースの開口内へ突出する押込壁を付設し、押込壁の先端を上記合わせ目よりもケース側へ突出させた構造のカバーを用いることを特徴とする、回転弁の駆動装置を提供するものである。
【発明の効果】
【００１４】
この発明によれば、回転弁の駆動装置を構成しているケースの開口を塞ぐためのカバーとして、ケースの開口を塞ぐに足る大きさのカバーの内面に、開口との合わせ目に沿って延びてケースに向かって突出する押込壁を付設し、その押込壁の先端を上記合わせ目よりもケース側へ突出させた構造のカバーを用いるので、カバーの合わせ目がケースの合わせ目に接触する前に、押込壁の先端が開口付近に存在する電線に当接するので、電線は押込壁によってケース側へ押し込まれることになり、従って開口から僅かに食み出ている電線部分は容易にケース内へ引き込まれて、カバーとケースとの合わせ目に挟まれることはなくなる。
【００１５】
この発明によれば、ケースの開口を塞ぐに足る大きさの従来用いられてきたカバーに、上記押込壁を付設しただけのカバーを用いることにより、錯綜する電線がカバーとケースとの合わせ目に挟まれるのを確実に防ぐことができるので、実施は容易であって、大きな効果を収めることになる。
【発明を実施するための最良の形態】
【００１６】
この発明では、駆動装置を組み立てるのに、電動機、減速部、制御機構及びケースは、従来と同じものを用いることとし、ただ、カバーだけを従来とは違った構造の改良されたものとする。しかも、改良された構造のカバーは、内部の構造が異なるだけで、外側に現れる構造は従来のものと殆ど変りがない。従って、組み立てられた駆動装置は、外見上従来のものと全く変りがないものとなる。
【００１７】
図３は従来のカバー５を示し、図４はこの発明で用いる改良された構造のカバー８を示している。図３及び図４の何れにおいても、（ａ）はカバーの正面図であり、（ｂ）は図１（ａ）におけるＢ−Ｂ線に相当する線でそれぞれのカバーを切断したときの断面図であり、（ｃ）は図（ａ）におけるＣ−Ｃ線に相当する線でそれぞれのカバーを切断したときの断面図である。
【００１８】
この発明で用いられるカバー８が、従来のカバー５と異なるのは、カバーの内面に押込壁９が付設されている点だけである。カバー８は、カバー５と同じく、ケース４の開口６を塞ぐに足る大きさを持っている。押込壁９は、カバーの内面に付設されて、カバーとケースとの合わせ目７に沿って延びており、合わせ目７よりもケース側へ高さＨだけ突出している。また、押込壁９と合わせ目７との間には僅かな幅Ｗの溝１０が形成されている。
【００１９】
従来のカバー５を用いると、ケース４の開口６を塞ぐとき、開口６の近くに存在する電線１１を合わせ目７に挟み込み、図２に示したような断面形状となる。このようになると、ケースの気密が損なわれたり、電線１１を流れる電流が阻害されたりして、不測の事態を起こす。
【００２０】
ところが、この発明により押込壁９を付設したカバー８を用いると、ケース４の開口６を塞ぐとき、図５に示すように、押込壁９が電線１１を開口６内へ押し込むので、電線１１が合わせ目７に挟み込まれなくなる。このために、ケース内の気密を保持し易く、また電線１１を流れる電流が全く阻害されない。また、組立て作業が容易で、装置を確実に気密にすることができる。この発明は、このような利益をもたらすものである。
【００２１】
押込壁９が合わせ目７から突出する高さＨは、電線１１の開口６から飛び出している部分を開口６内に押し込むこと、及び他方で押し込まれた電線１１が制御機構に接触しないこと、の両面から定める必要がある。通常は、高さＨを５〜５０ｍｍの範囲内にすれば足りる。
【００２２】
また、押込壁９と合わせ目７との間の溝１０は、これをなくしてもよいが、溝１０をなくすると、押込壁９の外側面がケース４との嵌合を妨げるおそれがあるので、溝１０はこれを設けた方がよい。溝１０の幅Ｗは通常１〜１０ｍｍの程度とする。また、押込壁９の先端は、丸味を持った形状にすることが好ましい。
【００２３】
この発明で用いるカバー８は、合成樹脂又はアルミ合金等を材料として、一体に容易に製造することができる。従って、この発明の実施は容易である。
【図面の簡単な説明】
【００２４】
【図１】従来の回転弁駆動装置を示し、（ａ）は平面図、（ｂ）は正面図、（ｃ）は（ａ）中のＣ−Ｃ線断面図である。
【図２】電線を挟み込んだ従来の駆動装置の一部の断面図である。
【図３】図１に示された従来の駆動装置に用いられたカバーを示す。
【図４】この発明に係る回転弁の駆動装置に用いられるカバーを示す。
【図５】この発明に係る駆動装置において起こるケースとカバーとの合わせ目付近の断面図である。
【符号の説明】
【００２５】
１              電動機
２              減速部
３              制御機構
４              ケース
５              従来のカバー
６              ケース４の開口
７              合わせ目
８              この発明で用いるカバー
９              押込壁
１０            溝
１１            電線
１２            パッキン
Ｈ              押込壁９の突出高さ
Ｗ              溝１０の幅
【図１】
2005249138.tif 000003
【図２】
2005249138.tif 000004
【図３】
2005249138.tif 000005
【図４】
2005249138.tif 000006
【図５】
2005249138.tif 000007